【手続補正書】
【提出日】平成17年11月28日(2005.11.28)
【手続補正１】
【補正対象書類名】明細書
【補正対象項目名】発明の名称
【補正方法】変更
【補正の内容】
【発明の名称】焦点検出装置、及び、光学機器
【手続補正２】
【補正対象書類名】明細書
【補正対象項目名】特許請求の範囲
【補正方法】変更
【補正の内容】
【特許請求の範囲】
【請求項１】
撮影光束を分割し、各々の分割光束を再結像させる焦点検出光学系を有し、前記焦点検出光学系により形成される各々の像を受光面で受光し、前記像の位置関係により前記撮影光学系の焦点検出を行う焦点検出装置において、
前記焦点検出光学系の各光学要素を支持するホルダー部材と、
前記焦点検出光学系に含まれる再結像レンズとを備え、
前記再結像レンズを前記ホルダー部材に取り付けるときに、前記再結像レンズの光軸垂直方向の位置決めを行うために、前記再結像レンズまたは前記ホルダー部材にボスまたは穴を形成し、
前記ボスまたは前記穴の中心が、前記撮影光学系の撮影光軸の延長である焦点検出装置の主光軸を通る水平面に平行な面よりずらして配置されていることを特徴とする焦点検出装置。
【請求項２】
撮影光束を分割し、各々の分割光束を再結像させる焦点検出光学系を有し、前記焦点検出光学系により形成される各々の像を受光面で受光し、前記像の位置関係により前記撮影光学系の焦点検出を行う焦点検出装置において、
前記焦点検出光学系の各光学要素を支持するホルダー部材と、
前記焦点検出光学系に含まれる再結像レンズと、
前記焦点検出光学系に含まれる絞りマスクとを有し、
前記ホルダー部材は、前記再結像レンズ上部に切り欠きを持ち、有効光束の高さが高い部分は前記再結像レンズ上部の前記ホルダー部材を肉薄にするかまたは開口を設け、有効光束の低い部分は肉厚にすることを特徴とする焦点検出装置。
【請求項３】
請求項２記載の焦点検出装置において、
前記再結像レンズの光軸方向の位置決めを行うために、前記再結像レンズは前記ホルダー部材に当接する突起を有し、また、前記再結像レンズの光軸垂直方向の位置決めを行うために、前記再結像レンズまたは前記ホルダー部材はボスまたは穴を有し、
前記再結像レンズは、前記ボスまたは前記穴部分を接着することにより前記ホルダー部材に固定され、
前記ボスまたは前記穴の周囲には、接着剤が流れることを防ぐ溝または突起が設けられ、
前記再結像レンズの位置決め用のすべての前記ボスまたは前記穴の中心が、撮影光軸の延長である前記焦点検出装置の主光軸を通る水平面に平行な面上になく、水平面に平行な面よりずらして配置されていることを特徴とする焦点検出装置。
【請求項４】
光学要素を含む焦点検出光学系と、前記光学要素を支持するホルダー部材とを含む焦点検出装置であって、
前記光学要素は、前記ホルダー部材と対向する面に第1の位置決め部を有し、
前記ホルダー部材は、前記光学要素と対向する面に、前記第1の位置決め部と協働して位置決めされる第２の位置決め部を有し、
前記第1の位置決め部の中心、及び、前記第２の位置決め部の中心は、前記光学要素の主光軸を含む水平面よりずらして配置されていることを特徴とする焦点検出装置。
【請求項５】
請求項４に記載された焦点検出装置であって、
前記第1の位置決め部及び前記第２の位置決め部のうち、一方はボスであり、他方は穴であることを特徴とする焦点検出装置。
【請求項６】
請求項４又は５に記載の焦点検出装置において、
前記第１の位置決め部材と前記第２の位置決め部材とを接着する接着剤を含むことを特徴とする焦点検出装置。
【請求項７】
請求項６記載の焦点検出装置において、流れ防止手段を含み、
前記流れ防止手段は、前記接着剤の流れを防止するためのものであり、前記ホルダー部材と対向する前記光学要素の面のうち、前記第１の位置決め部材の近傍、及び、前記光学要素と対向する前記ホルダー部材の面のうち、前記第２の位置決め部材の近傍の少なくとも一方に設けられていることを特徴とする焦点検出装置。
【請求項８】
光学要素を含む焦点検出光学系と、前記光学要素を支持するホルダー部材とを含む焦点検出装置であって、
前記ホルダー部材は、中央部分と周辺部分とを有し、前記中央部分の厚みと比較して前記周辺部分の厚みが肉厚となるように、少なくとも前記中央部分に切り欠きが形成されていることを特徴とする焦点検出装置。
【請求項９】
請求項８に記載された焦点検出装置であって、
前記ホルダー部材の前記中央部分は、開口部を有することを特徴とする焦点検出装置。
【請求項１０】
請求項８又は９に記載された焦点検出装置であって、
前記光学要素は、前記ホルダー部材と対向する面に第1の位置決め部を有し、
前記ホルダー部材は、前記光学要素と対向する面に、前記第1の位置決め部と協働して位置決めされる第２の位置決め部を有し、
前記第1の位置決め部の中心、及び、前記第２の位置決め部の中心は、前記光学要素の主光軸を含む水平面よりずらして配置されていることを特徴とする焦点検出装置。
【請求項１１】
請求項１０に記載された焦点検出装置であって、
前記第1の位置決め部の中心、及び、前記第２の位置決め部の中心は、前記光学要素の主光軸を含む水平面よりも前記切り欠きが形成されていない側に配置されていることを特徴とする焦点検出装置。
【請求項１２】
請求項４から請求項１１までの何れか１項に記載された焦点検出装置であって、
前記焦点検出光学系は、撮影光束を分割して得られた分割光束を受光面に再結像させ、撮影光学系の焦点検出に用いられる像を形成するためのものであり、
前記光学要素は、再結像レンズを含むことを特徴とする焦点検出装置。
【請求項１３】
請求項４から請求項１２までの何れか１項に記載の焦点検出装置において、前記光学要素は、前記ホルダー部材と対向する面に突起を有し、
前記突起は、前記光学要素の主光軸方向に所定の長さを有し、前記ホルダー部材に接していることを特徴とする焦点検出装置。
【請求項１４】
請求項１乃至１３の何れかに記載された焦点検出装置を用いたことを特徴とする光学機器。
【手続補正３】
【補正対象書類名】明細書
【補正対象項目名】００１１
【補正方法】変更
【補正の内容】
【００１１】
請求項３の発明は、請求項２記載の焦点検出装置において、前記再結像レンズの光軸方向の位置決めを行うために、前記再結像レンズは前記ホルダー部材に当接する突起（５４）を有し、また、前記再結像レンズの光軸垂直方向の位置決めを行うために、前記再結像レンズまたは前記ホルダー部材はボス（３６ａ、３６ｂ）または穴（３８ａ、３８ｂ）を有し、前記再結像レンズは、前記ボスまたは前記穴部分を接着することにより前記ホルダー部材に固定され、前記ボスまたは前記穴の周囲には、接着剤が流れることを防ぐ溝（５３ａ、５３ｂ）または突起（不図示）が設けられ、前記再結像レンズの位置決め用のすべての前記ボス（３６ａ、３６ｂ）または前記穴（３８ａ、３８ｂ）の中心が、撮影光軸の延長である前記焦点検出装置の主光軸を通る水平面に平行な面上になく、水平面に平行な面よりずらして配置されていることを特徴とする。請求項４の発明は、光学要素（１７）を含む焦点検出光学系と、光学要素（１７）を支持するホルダー部材（１１）とを含む焦点検出装置であって、光学要素（１７）は、ホルダー部材（１１）と対向する面に第１の位置決め部（３８ａ、３８ｂ）を有し、ホルダー部材（１１）は、光学要素（１７）と対向する面に、第１の位置決め部（３８ａ、３８ｂ）と協働して位置決めされる第２の位置決め部（３６ａ、３６ｂ）を有し、第１の位置決め部（３８ａ、３８ｂ）の中心、及び、第２の位置決め部（３６ａ、３６ｂ）の中心は、光学要素（１７）の主光軸（Ｏ２）を含む水平面よりずらして配置されていることを特徴とする。請求項５の発明は、請求項４に記載された焦点検出装置であって、第１の位置決め部（３８ａ、３８ｂ）及び第２の位置決め部（３６ａ、３６ｂ）のうち、一方はボスであり、他方は穴であることを特徴とする。請求項６の発明は、請求項４又は５に記載の焦点検出装置において、第１の位置決め部（３８ａ、３８ｂ）材と第２の位置決め部（３６ａ、３６ｂ）材とを接着する接着剤（５６）を含むことを特徴とする。請求項７の発明は、請求項６記載の焦点検出装置において、流れ防止手段（５３ａ、５３ｂ）を含み、流れ防止手段（５３ａ、５３ｂ）は、接着剤（５６）の流れを防止するためのものであり、ホルダー部材（１１）と対向する光学要素（１７）の面のうち、第１の位置決め部（３８ａ、３８ｂ）材の近傍、及び、光学要素（１７）と対向するホルダー部材（１１）の面のうち、第２の位置決め部（３６ａ、３６ｂ）材の近傍の少なくとも一方に設けられていることを特徴とする。請求項８の発明は、光学要素（１７）を含む焦点検出光学系と、光学要素（１７）を支持するホルダー部材（１１）とを含む焦点検出装置であって、ホルダー部材（１１）は、中央部分と周辺部分とを有し、中央部分の厚みと比較して周辺部分の厚みが肉厚となるように、少なくとも中央部分に切り欠き（３１）が形成されていることを特徴とする。請求項９の発明は、請求項８に記載された焦点検出装置であって、ホルダー部材（１１）の中央部分は、開口部を有することを特徴とする。請求項１０の発明は、請求項８又は９に記載された焦点検出装置であって、光学要素（１７）は、ホルダー部材（１１）と対向する面に第１の位置決め部（３８ａ、３８ｂ）を有し、ホルダー部材（１１）は、光学要素（１７）と対向する面に、第１の位置決め部（３８ａ、３８ｂ）と協働して位置決めされる第２の位置決め部（３６ａ、３６ｂ）を有し、第１の位置決め部（３８ａ、３８ｂ）の中心、及び、第２の位置決め部（３６ａ、３６ｂ）の中心は、光学要素（１７）の主光軸（Ｏ２）を含む水平面よりずらして配置されていることを特徴とする。請求項１１の発明は、請求項１０に記載された焦点検出装置であって、第１の位置決め部（３８ａ、３８ｂ）の中心、及び、第２の位置決め部（３６ａ、３６ｂ）の中心は、光学要素（１７）の主光軸（Ｏ２）を含む水平面よりも切り欠き（３１）が形成されていない側に配置されていることを特徴とする。請求項１２の発明は、請求項４から請求項１１までの何れか１項に記載された焦点検出装置であって、焦点検出光学系は、撮影光束を分割して得られた分割光束を受光面に再結像させ、撮影光学系の焦点検出に用いられる像を形成するためのものであり、光学要素（１７）は、再結像レンズを含むことを特徴とする。請求項１３の発明は、請求項４から請求項１２までの何れか１項に記載の焦点検出装置において、光学要素（１７）は、ホルダー部材（１１）と対向する面に突起（５４）を有し、突起（５４）は、光学要素（１７）の主光軸（Ｏ２）方向に所定の長さを有し、ホルダー部材（１１）に接していることを特徴とする。請求項１４の発明は、光学機器であって、請求項１乃至１３の何れかに記載された焦点検出装置を用いたことを特徴とする。